(57)【要約】【課題】ファングリルをケーシングに装着する際の作業性に優れ、低コストで、かつ、ファングリル装着後の見栄えもよい室外ユニットを提供する。【解決手段】空気調和装置の室外ユニット１は、天面から空気を吹き出すタイプである。天板２２の上部には、空気吹出口２２ａと、空気吹出口２２ａの外周縁に上方に延びるように形成された環状のリブ２２ｂとが設けられている。ファングリル５１は、空気吹出口２２ａを上方から覆い、リブ２２ｂに直接固定されている。ファングリル５１は、複数の係合爪部５１ｄを有している。リブ２２ｂは、各係合爪部５１ｄを上下方向に移動不能に係止する係合溝部２２ｇを有している。【選択図】  図３
2004156828.tif 000002
【特許請求の範囲】
【請求項１】
天面から空気を吹き出すタイプの空気調和装置の室外ユニット（１）であって、
上部に形成された空気吹出口（２２ａ）と、前記空気吹出口の外周縁に上方に延びるように形成された環状のリブ（２２ｂ）とを有するケーシング（１２）と、
前記空気吹出口を上方から覆い、前記リブに直接固定されたファングリル（５１）とを備え、
前記ファングリル及び前記リブの一方は、複数の係合爪部（５１ｄ）を有しており、
前記ファングリル及び前記リブの他方は、前記各係合爪部を上下方向に移動不能に係止する係合溝部（２２ｇ）を有している、
空気調和装置の室外ユニット（１）。
【請求項２】
前記係合爪部（５１ｄ）は、前記ファングリル（５１）の下端部及び前記リブ（２２ｂ）の上端部の一方から内周側に向かって延びるように形成されている、請求項１に記載の空気調和装置の室外ユニット（１）。
【請求項３】
前記係合溝部（２２ｇ）は、前記ファングリル（５１）を前記リブ（２２ｂ）に装着する際に、前記係合爪部（５１ｄ）を上下方向に案内することが可能な案内溝部（２２ｈ）と、前記案内溝部の端部から円周方向側に向かって延び、前記係合爪部がスライド可能なスライド溝部（２２ｉ）とを有している、請求項２に記載の空気調和装置の室外ユニット（１）。
【請求項４】
前記係合爪部（５１ｄ）は、内周側端部に前記スライド溝部（２２ｉ）の上下方向の溝幅よりも大きいサイズの抜け止め爪部（５１ｅ）を有している、請求項３に記載の空気調和装置の室外ユニット（１）。
【請求項５】
前記ファングリル（５１）及び前記リブ（２２ｂ）の他方には、前記各係合溝部（２２ｇ）が形成された部分に、内周側に向かって凹んだ凹部（２２ｅ、２２ｉ）が形成されている、請求項１〜４のいずれかに記載の空気調和装置の室外ユニット（１）。
【請求項６】
前記ケーシング（１２）の内面の前記空気吹出口（２２ａ）に対応する位置において、前記リブ（２２ｂ）の近傍に吊り下げられるように支持されたベルマウス（５２）をさらに備えている、請求項５に記載の空気調和装置の室外ユニット（１）。
【請求項７】
前記ベルマウス（５２）は、上端部に設けられた複数のベルマウス爪部（５２ａ、５２ｂ）を有しており、
前記ケーシング（１２）は、前記各ベルマウス爪部を上下方向に移動不能に係止するスリット部（２２ｆ、２２ｋ）を有している、
請求項６に記載の空気調和装置の室外ユニット（１）。
【請求項８】
前記複数の凹部（２２ｅ、２２ｉ）は、前記リブ（２２ｂ）に形成されており、
前記スリット部（２２ｆ、２２ｋ）は、前記各凹部に対応する位置に配置されている、
請求項７に記載の空気調和装置の室外ユニット（１）。
【発明の詳細な説明】
【０００１】
【発明の属する技術分野】
本発明は、空気調和装置の室外ユニット、特に、天面から空気を吹き出すタイプの空気調和装置の室外ユニットに関する。
【０００２】
【従来の技術】
従来の天面から空気を吹き出すタイプの空気調和装置の室外ユニットにおいては、ケーシングの天面に空気吹出口が形成されており、この空気吹出口を覆うようにファングリルが配置されている。このファングリルは、ケーシングの天面にネジ等の複数の締結部材を介して固定されている。このファングリルは、空気吹出口の径よりも大きな外径を有している（例えば、特許文献１参照）。
【０００３】
また、側面から空気を吹き出すタイプの空気調和装置の室外ユニットにおいて、ケーシングの側面の平坦部にスリットを設けるとともに、このスリットに対応する係合爪をファングリルに設けて、爪係合させることによってファングリルをケーシングの側面に固定しているものもある（例えば、特許文献２参照）。
【０００４】
【特許文献１】
特開平６−２８１２０４号公報（第１図及び第３図）
【０００５】
【特許文献２】
実開昭６２−３１２２５号公報（第１図−第７図）
【０００６】
【発明が解決しようとする課題】
上記従来の室外ユニットでは、ファングリルが複数の締結部材によって固定されているため、ケーシングにファングリルを固定する作業に手間がかかる傾向にある。また、ファングリルの外径は、空気吹出口の径よりも大径であるため、平面視におけるケーシングサイズが小さく、空気吹出口の外周縁とケーシング天面の外周縁とが非常に接近した室外ユニットでは、平面視において、ファングリルの外周部がケーシング天面の外周縁よりも外側にはみ出してしまい、見栄えが悪くなることもある。
【０００７】
これに対して、上記の側面から空気を吹き出すタイプの従来の室外ユニットのように、ケーシングの側面の平坦部にスリットを設けるとともに、このスリットに対応する係合爪をファングリルに設けて、爪係合させることによってファングリルをケーシングの側面に固定することで、締結部材による固定作業を減らすことも可能であるが、ファングリルの外周部がケーシング天面の外周縁よりも外側にはみ出してしまい、見栄えが悪くなる点では同じである。
【０００８】
さらに、天面から空気を吹き出すタイプの室外ユニットにおいて、平面視におけるケーシングサイズが比較的大きい場合には、ファングリルの重量やケーシングの天面部分の自重によって、ケーシング天面が撓むおそれもあるため、ケーシングの天面部分の板厚を大きくして強度を確保する必要がある。これにより、室外ユニットのコストが増加している。
【０００９】
本発明の課題は、ファングリルをケーシングに装着する際の作業性に優れ、低コストで、かつ、ファングリル装着後の見栄えもよい室外ユニットを提供することにある。
【００１０】
【課題を解決するための手段】
請求項１に記載の空気調和装置の室外ユニットは、天面から空気を吹き出すタイプの空気調和装置の室外ユニットであって、ケーシングとファングリルとを備えている。ケーシングは、上部に形成された空気吹出口と、空気吹出口の外周縁に上方に延びるように形成された環状のリブとを有している。ファングリルは、空気吹出口を上方から覆い、リブに直接固定されている。ファングリル及びリブの一方は、複数の係合爪部を有している。ファングリル及びリブの他方は、各係合爪部を上下方向に移動不能に係止する係合溝部を有している。
【００１１】
この室外ユニットでは、ケーシングの上部に形成された空気吹出口の外周縁に環状のリブを設け、このリブにファングリルを固定するようにしている。このリブは、ケーシングの空気吹出口の周辺の強度を向上させている。しかも、ファングリルとリブとは、係合爪部と係合溝部とによって、上下方向に移動不能に係止されるため、従来のようにファングリルをネジ等の複数の締結部材を介して固定する場合に比べて、締結部材の数を最小限に抑えることができる。例えば、ファングリルの周囲のほとんどを係合爪部と係合溝部とによって係止し、ネジ止め箇所を１カ所だけにすることも可能である。
【００１２】
このように、係合爪部と係合溝部との爪係合により、ファングリルが上下方向に移動不能に係止されるため、ネジ止め箇所やファングリルの組み付け工数を減らし、作業性を向上させることができる。また、リブによってケーシングの空気吹出口の周辺の強度が向上しているため、ケーシング天面の強度が確保される。これにより、ケーシングの天面部分の板厚を減らすことができ、コストダウンが可能となる。
【００１３】
請求項２に記載の空気調和装置の室外ユニットは、請求項１において、係合爪部は、ファングリルの下端部及びリブの上端部の一方から内周側に向かって延びるように形成されている。
この室外ユニットでは、係合爪部がファングリルの下端部及びリブの上端部の一方から内周側に向かって延びるように形成されているため、空気吹出口の外周縁とケーシング天面の外周縁とが非常に接近した室外ユニットにおいて、ファングリルがケーシング天面の外周縁よりも外側にはみ出さないようにすることが可能である。
【００１４】
請求項３に記載の空気調和装置の室外ユニットは、請求項２において、係合溝部は、案内溝部と、スライド溝部とを有している。案内溝部は、ファングリルをリブに装着する際に、係合爪部を上下方向に案内することが可能である。スライド溝部は、案内溝部の端部から円周方向側に向かって延び、係合爪部がスライド可能である。
【００１５】
この室外ユニットでは、ファングリルをリブに装着する際に、案内溝部によって係合爪部を上下方向に案内し、その後、ファングリルをリブに対して回転させることによって、係合爪部をスライド溝部に係合させて、ファングリルをケーシング天面に上下方向に移動不能に係止することができる。これにより、複数の係合爪部を同時に係合溝部に係止することが可能である。
【００１６】
請求項４に記載の空気調和装置の室外ユニットは、請求項３において、係合爪部は、内周側端部にスライド溝部の上下方向の溝幅よりも大きいサイズの抜け止め爪部を有している。
この室外ユニットでは、スライド溝部に係合した係合爪部がスライド溝部からファングリルやリブの径方向に抜けないようにすることが可能である。
【００１７】
請求項５に記載の空気調和装置の室外ユニットは、請求項１〜４のいずれかにおいて、ファングリル及びリブの他方には、各係合溝部が形成された部分に、内周側に向かって凹んだ凹部が形成されている。
この室外ユニットでは、係合爪部と係合溝部とが係合する部分がファングリルやリブの外周部よりもはみ出さないようにすることが可能である。
【００１８】
請求項６に記載の空気調和装置の室外ユニットは、請求項５において、ケーシングの内面の空気吹出口に対応する位置において、リブの近傍に吊り下げられるように支持されたベルマウスをさらに備えている。
この室外ユニットでは、ベルマウスがリブの近傍に吊り下げられるように支持されているため、ケーシングの天面が撓みにくい。
【００１９】
請求項７に記載の空気調和装置の室外ユニットは、請求項６において、ベルマウスは、上端部に設けられた複数のベルマウス爪部とを有している。ケーシングは、各ベルマウス爪部を上下方向に移動不能に係止するスリット部を有している。
請求項８に記載の空気調和装置の室外ユニットは、請求項７において、複数の凹部は、リブに形成されている。スリット部は、各凹部に対応する位置に配置されている。
【００２０】
この室外ユニットでは、ベルマウス爪部がファングリルやリブの外周部よりもはみ出さないようにすることが可能である。
【００２１】
【発明の実施の形態】
以下、本発明の実施形態について、図面に基づいて説明する。
（１）室外ユニットの構成
図１に本発明の一実施形態にかかる空気調和装置の室外ユニット１を示す。室外ユニット１は、マルチタイプの空気調和装置を構成しており、ビルの屋上等に設置されるとともに、複数の室外ユニットに連絡配管を介して接続されている。
【００２２】
室外ユニット１は、本実施形態において、側面から空気を吸入して熱交換した後に天面から空気を吹き出すタイプであり、ケーシング１２と、ケーシング１２の内部に収納された室外側冷媒回路１３と、ケーシング１２の上部に設けられた送風ファン１４とを備えている。
ケーシング１２は、略直方体形状の箱体であり、主に、４つの角部にそれぞれ配置された支柱２１ａ〜２１ｄと、天板２２と、前板２３と、後板２４と、１対の側板２５と、底板２６とから構成されている。
【００２３】
支柱２１ａ〜２１ｄは、ケーシング１２の各角部の上端から下端まで延びる柱状の部材であり、天板２２、前板２３、後板２４、側板２５及び底板２６を固定・支持している。
天板２２は、中央に設けられた開口からなる空気吹出口２２ａを有しており、空気吹出口２２ａを上部から覆うようにファングリル５１が設けられている。そして、ケーシング１２内に吸入された空気は、空気吹出口２２ａから上方に向かって吹き出されるようになっている。尚、天板２２及びファングリル５１の詳細な構造については、後述する。
【００２４】
前板２３は、本実施形態において、天板２２の下側に配置される上部前板２３ａと、上部前板２３ａの下側に配置される中部前板２３ｂと、中部前板２３ｂの下側に配置される下部前板２３ｃとから構成されている。このように、前板２３は、上中下３分割の構造になっている。
後板２４は、ケーシング１２内に空気を吸入するための空気吸入口２４ａを有している。本実施形態において、空気吸入口２４ａは、詳細は図示しないが、ほぼ全面に設けられた開口からなる。１対の側板２５は、ケーシング１２内に空気を吸入するための空気吸入口２５ａを有している。本実施形態において、空気吸入口２５ａは、前板２３近傍を除く面に設けられた開口からなる。これらの空気吸入口２４ａ、２５ａからケーシング１２内に、空気が吸入されるようになっている。
【００２５】
底板２６は、室外側冷媒回路１３を構成する機器及び配管類を支持・固定している。また、底板２６は、据付面との間にスペースができるように、４つの支柱２１ａ〜２１ｄに支持されている。
室外側冷媒回路１３は、圧縮機１３ａ、熱交換器１３ｂ等及びこれらの機器を接続する配管類から構成されている。圧縮機１３ａや熱交換器１３ｂ等の主要な機器は、底板２６に固定されている。すなわち、室外側冷媒回路１３を構成する機器及び配管類は、主として、ケーシング１２の下部に配置されている。熱交換器１３ｂは、略Ｕ字形状であり、３つの空気吸入口２４ａ、２５ａに対向するように配置されている。熱交換器１３ｂは、空気吸入口２４ａ、２５ａから吸入された空気と冷媒とを熱交換させることが可能である。
【００２６】
送風ファン１４は、プロペラファンであり、ケーシング１２の上部において、空気吹出口２２ａに対応するように配置されている。送風ファン１４は、羽根車１４ａと、羽根車１４ａを回転駆動するファンモータ１４ｂとを有している。ファンモータ１４ｂは、図示しない支持フレームを介して、ケーシング１２に固定されている。また、羽根車１４ａの外周側には、羽根車１４ａを囲むように本図では図示しないベルマウス５２が配置されている。本実施形態において、ベルマウス５２は、ケーシング１２内において、天板２２に吊り下げられるように支持されている。尚、ベルマウス５２の詳細構造については、天板２２及びファングリル５１の詳細構造とともに後述する。以上より、送風ファン１４は、空気吸入口２４ａ、２５ａを通じて、室外空気をケーシング１２の側面からケーシング１２の内部に吸入して、熱交換器１３ｂを通過させた後、ケーシング１２の上部に導いて空気吹出口２２ａから吹き出すことが可能である。
【００２７】
（２）天板、ファングリル及びベルマウスの詳細構造
次に、天板２２、ファングリル５１及びベルマウス５２の詳細構造について、図２〜図１５を用いて説明する。ここで、図２は、天板２２にファングリル５１及びベルマウス５２が装着された状態を示す斜視図である。図３は、天板２２、ファングリル５１及びベルマウス５２を示す分解斜視図である。図４は、第１固定部２２ｃを示す斜視図である。図５は、第２固定部２２ｄを示す斜視図である。図６は、第１ベルマウス爪部５２ａを示す斜視図である。図７は、第２ベルマウス爪部５２ｂを示す斜視図である。図８は、第１係合部５１ａを示す斜視図である。図９は、第２係合部５１ｂを示す斜視図である。図１０は、第１ベルマウス爪部５２ａが第１固定部２２ｃに係合した状態を示す図である。図１１は、図１０のＡ矢視図である。図１２は、第２ベルマウス爪部５２ｂが第２固定部２２ｄに係合した状態を示す図である。図１３は、図１２のＢ矢視図である。図１４は、第１係合部５１ａが第１固定部２２ｃに係合した状態を示す図である。図１５は、第２係合部５１ｂが第２固定部２２ｄに係合した状態を示す図である。
【００２８】
天板２２は、空気吹出口２２ａの外周縁に上方に延びるように形成された環状のリブ２２ｂを有している。リブ２２ｂは、天板２２の空気吹出口２２ａの周辺の強度を向上させている。リブ２２ｂには、円周方向に並んで配置された複数の第１固定部２２ｃ（本実施形態では、５個）と、第２固定部２２ｄ（本実施形態では、１個）とが設けられている。
【００２９】
第１固定部２２ｃは、図４に示すように、リブ２２ｂの一部を空気吹出口２２ａの内周側に向かって凹ませるようにして形成された第１凹部２２ｅと、第１凹部２２ｅの外周側において天板２２を上下方向に貫通するように形成された第１スリット孔２２ｆと、第１凹部２２ｅの一部を切り欠くようにして形成された係合溝部２２ｇとを有している。係合溝部２２ｇは、第１凹部２２ｅの上端部から下方に向かって延びる案内溝部２２ｈと、案内溝部２２ｈの下端からリブ２２ｂの円周方向に向かって延びるスライド溝部２２ｉとから構成されている。
【００３０】
第２固定部２２ｄは、図５に示すように、リブ２２ｂの一部を空気吹出口２２ａの内周側に向かって凹ませるようにして形成された第２凹部２２ｊと、第２凹部２２ｊの外周側において天板２２を上下方向に貫通するように形成された第２スリット孔２２ｋと、第２凹部２２ｊの空気吹出口２２ａ側の面に設けられた２つのネジ孔部２２ｍ、２２ｎとを有している。本実施形態において、２つのネジ孔部２２ｍ、２２ｎは、円筒形状を有しており、その中心に空気吹出口２２ａを半径方向に貫通する孔が形成されている。そして、この孔の内壁には、雌ネジが形成されている。
【００３１】
ベルマウス５２は、その上端部の第１固定部２２ｃに対応する位置に形成された第１ベルマウス爪部５２ａ（本実施形態では、５個）と、第２固定部２２ｄに対応する位置に形成された第２ベルマウス爪部５２ｂとを有している。
第１ベルマウス爪部５２ａは、図６に示すように、ベルマウス５２の上端部から上方に延びる根元部５２ｃと、根元部５２ｃの上端部から円周方向一方（本実施形態では、図６の右方向）に延びる先端部５２ｄとを有している。そして、第１ベルマウス爪部５２ａは、図１０及び図１１に示すように、第１スリット孔２２ｆに挿入され、さらに、円周方向にスライドされることによって天板２２に対して上下方向に移動不能に係止されている。
【００３２】
第２ベルマウス爪部５２ｂは、図７に示すように、ベルマウス５２の上端部から上方に延びる根元部５２ｅと、根元部５２ｅの上端部から円周方向一方（本実施形態では、図７の右方向）に延びる先端部５２ｆと、先端部５２ｆのほぼ中央付近を半径方向に貫通する貫通孔部５２ｇとを有している。そして、第２ベルマウス爪部５２ｂは、図１２及び図１３に示すように、第２スリット孔２２ｋに挿入され、さらに、円周方向にスライドされることによって天板２２に対して上下方向に移動不能に係止されている。このとき、貫通孔部５２ｇは、天板２２に上下方向に移動不能に係止された状態において、ネジ孔部２２ｎに対応するように配置される。そして、第２ベルマウス爪部５２ｂは、図示しない１つのネジによって第２固定部２２ｄに固定されて、ベルマウス５２が天板２２に固定されている。
【００３３】
このように、ベルマウス５２は、天板２２のリブ２２ｂ近傍に吊り下げられるように支持されている。
ファングリル５１は、その下端部の第１固定部２２ｃに対応する位置に形成された第１係合部５１ａ（本実施形態では、５個）と、第２固定部２２ｄに対応する位置に形成された第２係合部５１ｂ（本実施形態では、１個）とを有している。
【００３４】
第１係合部５１ａは、ファングリル５１の下端部から下方に延びる第１鍔部５１ｃと、第１鍔部５１ｃのほぼ中央付近から内周側に向かって延びるように形成された係合爪部５１ｄを有している。係合爪部５１ｄは、その内周側端部に、抜け止め爪部５１ｅを有している。抜け止め爪部５１ｅは、本実施形態においては係合爪部５１ｄの内周側端部から下方に向かって延びており、第１固定部２２ｃのスライド溝部２２ｉの溝幅よりも大きいサイズを有している。係合爪部５１ｄは、図１４に示すように、第１固定部２２ｃの案内溝部２２ｈによってスライド溝部２２ｉまで下方に案内され、さらに、スライド溝部２２ｉ内をスライドさせられることによって、第１固定部２２ｃ（すなわち、天板２２）に上下方向に移動不能に係止されている。さらに、係合爪部５１ｄは、抜け止め爪部５１ｅによって、スライド溝部２２ｉから半径方向に抜けてしまうことがないようになっている。
【００３５】
第２係合部５１ｂは、ファングリル５１の下端部から下方に延びる第２鍔部５１ｆと、第２鍔部５１ｆのほぼ中央付近を半径方向に貫通する貫通孔部５１ｇとを有している。そして、貫通孔部５１ｇは、上記のように、第１係合部５１ａが第１固定部２２ｃに係止される際に、図１５に示すように、ネジ孔部２２ｍに対応するように配置される。そして、第２鍔部５１ｆは、図示しない１つのネジによって第１固定部２２ｃに固定されて、ファングリル５１が天板２２に固定されている。
【００３６】
このように、図１０〜図１５に示されるように、第１係合部５１ａ及び第１ベルマウス爪部５２ａは、第１固定部２２ｃの第１凹部２２ｅの半径方向外周部において、リブ２２ｂの外周縁の形状に沿って配置されている。同様に、第２係合部５１ｂ及び第２ベルマウス爪部５２ｂは、第２固定部２２ｄの第２凹部２２ｊの半径方向外周部において、リブ２２ｂの外周縁の形状に沿って配置されている。すなわち、ファングリル５１の外周部及びベルマウス５２の爪部５２ａ、５２ｂは、リブ２２ｂの外周部よりもはみ出すことなく配置されている。
【００３７】
（３）ファングリル及びベルマウスの天板への装着
次に、ファングリル５１及びベルマウス５２の天板へ２２への装着について、図２〜図１１を用いて説明する。
まず、図１０に示すように、第１ベルマウス爪部５２ａの先端部５２ｄが第１スリット孔部２２ｆを貫通するまで第１ベルマウス爪部５２ａを挿入する。同様に、図１２に示すように、第２ベルマウス爪部５２ｂの先端部５２ｆが第２スリット孔部２２ｋを貫通するまで第２ベルマウス爪部５２ｂ挿入する。その後、ベルマウス５２を天板２２に対して矢印Ｒの方向に回転させることによって、第１及び第２ベルマウス爪部５２ａ、５２ｂをスライドさせて、第１及び第２スリット孔部２２ｆ、２２ｋに係止させる。さらに、第２ベルマウス爪部５２ｂの貫通孔部５２ｇ及び第２固定部２２ｄのネジ孔部２２ｎ内にネジ（図示せず）をねじ込んで、ベルマウス５２を天板２２に固定する。
【００３８】
次に、図１４に示すように、第１係合部５１ａの係合爪部５１ｄを係合溝部２２ｇ内、具体的には、案内溝部２２ｈに挿入する。その後、ファングリル５１を天板２２に対して矢印Ｒの方向に回転させることによって、係合爪部５１ｄをスライドさせて、スライド溝部２２ｉに係止させる。このとき、第２係合部５１ｂの貫通孔部５１ｇは、図１５に示すように、ネジ孔部２２ｍに対応するように配置されるので、これらの孔部５１ｇ、２２ｍ内にネジ（図示せず）をねじ込んで、ファングリル５１を天板２２に固定する。
【００３９】
このようにして、ファングリル５１及びベルマウス５２を天板２２に装着することができる。
（４）室外ユニットの特徴
本実施形態の室外ユニット１には、以下のような特徴がある。
▲１▼室外ユニット１では、天板２２に形成された空気吹出口２２ａの外周縁に環状のリブ２２ｂを設け、このリブ２２ｂにファングリル５１を固定するようにしている。このリブ２２ｂは、天板２２の空気吹出口２２ａの周辺の強度を向上させている。しかも、ファングリル５１とリブ２２ｂとは、係合爪部５１ｄと係合溝部２２ｇとによって、上下方向に移動不能に係止されるため、従来のようにファングリル５１をネジ等の複数の締結部材を介して固定する場合に比べて、締結部材の数を最小限（本実施形態では、１つだけ）に抑えることができる。
【００４０】
このように、係合爪部５１ｄと係合溝部２２ｇとの爪係合により、ファングリル５１が上下方向に移動不能に係止されるため、ネジ止め箇所やファングリル５１の組み付け工数を減らし、作業性を向上させることができる。また、リブ２２ｂによって天板２２の空気吹出口２２ａの周辺の強度が向上しているため、天板２２の強度が確保される。これにより、天板２２の板厚を減らすことができ、コストダウンが可能となる。
【００４１】
また、係合溝部２２ｇは、案内溝部２２ｈとスライド溝部２２ｉとによって構成されており、案内溝部２２ｈによって係合爪部５１ｄを上下方向に案内し、その後、ファングリル５１をリブ２２ｂに対して回転させることによって、係合爪部５１ｄをスライド溝部２２ｉに係合させて、ファングリル５１を天板２２に上下方向に移動不能に係止することができる。これにより、複数の係合爪部５１ｄを同時に係合溝部２２ｇに係止することが可能となり、作業性が向上する。
【００４２】
さらに、係合爪部５１ｄは、内周側端部にスライド溝部２２ｉの上下方向の溝幅よりも大きい幅の抜け止め爪部５１ｅを有しているため、スライド溝部２２ｉに係合した係合爪部５１ｄがスライド溝部２２ｉからファングリル５１及びリブ２２ｂの半径方向に抜けないようになっている。
▲２▼室外ユニット１では、ベルマウス５２がリブ２２ｂの近傍に吊り下げられるように支持されているため、天板２２が撓みにくい。
【００４３】
また、ベルマウス５２は、上端部に設けられた複数のベルマウス爪部５２ａ、５２ｂを天板２２の第１及び第２固定部２２ｃ、２２ｄに設けられたスリット孔部２２ｆ、２２ｋによって上下方向に移動不能に係止している。
▲３▼室外ユニット１では、係合爪部５１ｄは、ファングリル５１の下端部及びリブ２２ｂの上端部の一方から内周側に向かって延びるように形成されているため、空気吹出口２２ａの外周縁と天板２２の外周縁とが非常に接近している場合でも、ファングリル５１が天板２２の外周縁よりも外側にはみ出さないようにできる。
【００４４】
また、リブ２２ｂには、係合溝部２２ｇが形成された部分に内周側に向かって凹んだ第１凹部２２ｅが形成されているため、係合爪部５１ｄと係合溝部２２ｇとが係合する部分をファングリル５１及びリブ２２ｂの外径よりもはみ出ないようにすることが可能である。
さらに、ベルマウス爪部５２ａ、５２ｂを係止するスリット孔部２２ｆ、２２ｋは、リブ２２ｂに形成された第１及び第２凹部２２ｅ、２２ｉに対応する位置に配置されているため、ベルマウス爪部５２ａ、５２ｂがファングリル５１及びリブ２２ｂの外径よりもはみ出ないようにすることが可能である。
【００４５】
このように、ファングリル５１及びベルマウス５２を天板２２に装着した後の見栄えも向上している。
（５）他の実施形態
以上、本発明の実施形態について図面に基づいて説明したが、具体的な構成は、これらの実施形態に限られるものではなく、発明の要旨を逸脱しない範囲で変更可能である。
【００４６】
▲１▼前記実施形態では、係合爪部がファングリルに形成され、係合溝部がリブに形成されていたが、係合溝部がファングリルに形成され、係合爪部がリブに形成されていてもよい。
▲２▼前記実施形態では、ベルマウスを天板にネジ固定するために、ベルマウス爪部に貫通孔部を設け、さらに、リブの第２固定部に対応するネジ孔部を設けているが、これらの孔部を設けずに、ファングリルの第２係合部を第２固定部にネジ固定する構成にしてもよい。
【００４７】
【発明の効果】
以上の説明に述べたように、本発明によれば、以下の効果が得られる。
請求項１にかかる発明では、空気吹出口の外周縁に環状のリブを設け、ファングリルとリブとを係合爪部と係合溝部との爪係合することにより、ファングリルがケーシングに対して上下方向に移動不能に係止されるため、ネジ止め箇所やファングリルの組み付け工数を減らし、作業性を向上させることができる。また、リブによってケーシングの空気吹出口の周辺の強度が向上しているため、ケーシング天面の強度が確保される。これにより、ケーシングの天面部分の板厚を減らすことができ、コストダウンが可能となる。
【００４８】
請求項２にかかる発明では、係合爪部がファングリルの下端部及びリブの上端部の一方から内周側に向かって延びるように形成されているため、空気吹出口の外周縁とケーシング天面の外周縁とが非常に接近した室外ユニットにおいて、ファングリルがケーシング天面の外周縁よりも外側にはみ出さないようにすることが可能である。
【００４９】
請求項３にかかる発明では、ファングリルをリブに装着する際に、案内溝部によって係合爪部を上下方向に案内し、その後、ファングリルをリブに対して回転させることによって、係合爪部をスライド溝部に係合させて、ファングリルをケーシング天面に上下方向に移動不能に係止することができる。これにより、複数の係合爪部を同時に係合溝部に係止することが可能である。
【００５０】
請求項４にかかる発明では、抜け止め爪部によって、スライド溝部に係合した係合爪部がスライド溝部からファングリル及びリブの径方向に抜けないようにすることが可能である。
請求項５にかかる発明では、係合爪部と係合溝部とが係合する部分をファングリル及びリブの外径よりもはみ出ないようにすることが可能である。
【００５１】
請求項６及び請求項７にかかる発明では、ベルマウスがリブの近傍に吊り下げられるように支持されているため、ケーシングの天面が撓みにくい。
請求項８にかかる発明では、ベルマウス爪部がファングリル及びリブの外径よりもはみ出ないようにすることが可能である。
【図面の簡単な説明】
【図１】本発明の一実施形態の空気調和装置の室外ユニットの外観斜視図。
【図２】天板にファングリル及びベルマウスが装着された状態を示す斜視図。
【図３】天板、ファングリル及びベルマウスを示す分解斜視図。
【図４】第１固定部を示す斜視図。
【図５】第２固定部を示す斜視図。
【図６】第１ベルマウス爪部を示す斜視図。
【図７】第２ベルマウス爪部を示す斜視図。
【図８】第１係合部を示す斜視図。
【図９】第２係合部を示す斜視図。
【図１０】第１ベルマウス爪部が第１固定部に係合した状態を示す図。
【図１１】図１０のＡ矢視図。
【図１２】第２ベルマウス爪部が第２固定部に係合した状態を示す図。
【図１３】図１２のＢ矢視図。
【図１４】第１係合部が第１固定部に係合した状態を示す図。
【図１５】第２係合部が第２固定部に係合した状態を示す図。
【符号の説明】
１  室外ユニット
１２  ケーシング
２２ａ  空気吹出口
２２ｂ  リブ
２２ｇ  係合溝部
５１  ファングリル
５１ｄ  係合爪部
【図１】
2004156828.tif 000003
【図２】
2004156828.tif 000004
【図３】
2004156828.tif 000005
【図４】
2004156828.tif 000006
【図５】
2004156828.tif 000007
【図６】
2004156828.tif 000008
【図７】
2004156828.tif 000009
【図８】
2004156828.tif 000010
【図９】
2004156828.tif 000011
【図１０】
2004156828.tif 000012
【図１１】
2004156828.tif 000013
【図１２】
2004156828.tif 000014
【図１３】
2004156828.tif 000015
【図１４】
2004156828.tif 000016
【図１５】
2004156828.tif 000017